(57)【特許請求の範囲】
【請求項１】
可視光領域の波長の光を照射する第１の光源、又は可視光領域外の波長の光を照射する第２の光源による照射光をもとに撮像する撮像手段と、
前記撮像手段が撮像した画像を取り込む画像取込手段と、
取り込まれた前記画像に含まれるコードシンボルを検出し、当該コードシンボルに対応したコード情報を読み取るコード読取手段と、
前記第１の光源による照射光をもとに撮像した画像に含まれる第１のコードシンボルに対応したコード情報と、前記第２の光源による照射光をもとに撮像した画像に含まれる第２のコードシンボルに対応したコード情報とを前記コード読取手段に読み取らせるように、前記第１の光源及び前記第２の光源における照射と、前記撮像手段による撮像とを制御する制御手段と、
前記コード読取手段により読み取られた、前記第１のコードシンボルに対応したコード情報及び前記第２のコードシンボルに対応したコード情報の少なくとも一方を、読取情報として出力する出力手段と、
前記第１の光源による照射光をもとに撮像した画像に含まれるサービス表示を読み取るサービス表示読取手段と、を備え、
前記第１のコードシンボルに対応したコード情報は商品を識別する商品コードを含み、
前記第２のコードシンボルに対応したコード情報はサービス表示に対応したサービス情報を含み、
前記制御手段は、前記第１の光源による照射光をもとに撮像した画像から前記商品コードを読み取る際に、前記サービス表示読取手段によりサービス表示が読み取られた場合に、当該サービス表示に対応したサービス情報を読み取らせるように、前記第２の光源による照射光をもとにした撮像を行わせること、
を特徴とする商品コード読取装置。
【請求項２】
前記第２の光源は紫外領域の波長の光を照射し、
前記第２のコードシンボルは前記紫外領域の波長の光で蛍光すること、
を特徴とする請求項１に記載の商品コード読取装置。
【請求項３】
前記第２の光源は赤外領域の波長の光を照射し、
前記第２のコードシンボルは光吸収・赤外透過フィルタを介して撮像されること、
を特徴とする請求項１に記載の商品コード読取装置。
【請求項４】
可視光領域の波長の光を照射する第１の光源、又は可視光領域外の波長の光を照射する第２の光源による照射光をもとに撮像する撮像手段を有する商品コード読取装置の商品コード読取方法であって、
前記撮像手段が撮像した画像を取り込む画像取込ステップと、
取り込まれた前記画像に含まれるコードシンボルを検出し、当該コードシンボルに対応したコード情報を読み取るコード読取ステップと、
前記第１の光源による照射光をもとに撮像した画像に含まれる第１のコードシンボルに対応したコード情報と、前記第２の光源による照射光をもとに撮像した画像に含まれる第２のコードシンボルに対応したコード情報とを読み取らせるように、前記第１の光源及び前記第２の光源における照射と、前記撮像手段による撮像とを制御する制御ステップと、
前記コード読取ステップにより読み取られた、前記第１のコードシンボルに対応したコード情報及び前記第２のコードシンボルに対応したコード情報の少なくとも一方を、読取情報として出力する出力ステップと、
第１の光源による照射光をもとに撮像した画像に含まれるサービス表示を読み取るサービス表示読取ステップと、を含み、
前記第１のコードシンボルに対応したコード情報は商品を識別する商品コードを含み、
前記第２のコードシンボルに対応したコード情報はサービス表示に対応したサービス情報を含み、
前記制御ステップは、前記第１の光源による照射光をもとに撮像した画像から前記商品コードを読み取る際に、前記サービス表示読取ステップによりサービス表示が読み取られた場合に、当該サービス表示に対応したサービス情報を読み取らせるように、前記第２の光源による照射光をもとにした撮像を行わせること、
を特徴とする商品コード読取方法。
【発明の詳細な説明】
【技術分野】
【０００１】
本発明の実施形態は、商品コード読取装置及び商品コード読取方法に関する。
【背景技術】
【０００２】
従来、スーパーマーケット等では、商品に添付されたバーコードや二次元コード（例えばＱＲコード（登録商標））等のコードシンボルをＣＣＤ（Charge  Coupled  Device）イメージセンサ等のデジタルカメラによって撮像し、その撮像した画像から検出したコードシンボルを検出して復号することで商品コードを読み取る商品コード読取装置が用いられている。この商品コード読取装置によって読み取り対象となる商品には、値引や割引等のサービスを行うことを示す値引シールが添付されている場合がある。このため、商品コード読取装置では、デジタルカメラによって撮像した画像から値引シールを検出し、その値引シールのコードシンボルを復号した結果と商品コードとを販売登録や精算処理を行うための電子レジスターやＰＯＳ（Point  Of  Sale）端末等の情報機器に出力している。
【発明の概要】
【発明が解決しようとする課題】
【０００３】
ところで、値引シールなどのコードシンボルは、顧客の目には見えないように、可視光領域外の光で検出するようにした方が値引シールのデザイン性を向上させて値引シールの存在を目立つようにできる。そして、値引シールの存在を目立つようにすることで、値引シールによる顧客の誘引効果を期待できる。また、値引シールなどのコードシンボルを顧客の目には見えないようにすることで、値引シールの偽造防止にも役立つ。しかしながら、値引シールなどのコードシンボルを可視光領域外の光で検出するようにした場合、上述した従来の商品コード読取装置では、商品コードを読み取ることは出来ても値引シールのコードシンボルを読み取ることができなかった。
【課題を解決するための手段】
【０００４】
上述した課題を解決するために、実施形態の商品コード読取装置は、可視光領域の波長の光を照射する第１の光源、又は可視光領域外の波長の光を照射する第２の光源による照射光をもとに撮像する撮像手段と、前記撮像手段が撮像した画像を取り込む画像取込手段と、取り込まれた前記画像に含まれるコードシンボルを検出し、当該コードシンボルに対応したコード情報を読み取るコード読取手段と、前記第１の光源による照射光をもとに撮像した画像に含まれる第１のコードシンボルに対応したコード情報と、前記第２の光源による照射光をもとに撮像した画像に含まれる第２のコードシンボルに対応したコード情報とを前記コード読取手段に読み取らせるように、前記第１の光源及び前記第２の光源における照射と、前記撮像手段による撮像とを制御する制御手段と、前記コード読取手段により読み取られた、前記第１のコードシンボルに対応したコード情報及び前記第２のコードシンボルに対応したコード情報の少なくとも一方を、読取情報として出力する出力手段と、前記第１の光源による照射光をもとに撮像した画像に含まれるサービス表示を読み取るサービス表示読取手段と、を備え、前記第１のコードシンボルに対応したコード情報は商品を識別する商品コードを含み、前記第２のコードシンボルに対応したコード情報はサービス表示に対応したサービス情報を含み、前記制御手段は、前記第１の光源による照射光をもとに撮像した画像から前記商品コードを読み取る際に、前記サービス表示読取手段によりサービス表示が読み取られた場合に、当該サービス表示に対応したサービス情報を読み取らせるように、前記第２の光源による照射光をもとにした撮像を行わせること、を特徴とする。
【０００５】
また、実施形態の商品コード読取方法は、可視光領域の波長の光を照射する第１の光源、又は可視光領域外の波長の光を照射する第２の光源による照射光をもとに撮像する撮像手段を有する商品コード読取装置の商品コード読取方法であって、前記撮像手段が撮像した画像を取り込む画像取込ステップと、取り込まれた前記画像に含まれるコードシンボルを検出し、当該コードシンボルに対応したコード情報を読み取るコード読取ステップと、前記第１の光源による照射光をもとに撮像した画像に含まれる第１のコードシンボルに対応したコード情報と、前記第２の光源による照射光をもとに撮像した画像に含まれる第２のコードシンボルに対応したコード情報とを読み取らせるように、前記第１の光源及び前記第２の光源における照射と、前記撮像手段による撮像とを制御する制御ステップと、前記コード読取ステップにより読み取られた、前記第１のコードシンボルに対応したコード情報及び前記第２のコードシンボルに対応したコード情報の少なくとも一方を、読取情報として出力する出力ステップと、第１の光源による照射光をもとに撮像した画像に含まれるサービス表示を読み取るサービス表示読取ステップと、を含み、前記第１のコードシンボルに対応したコード情報は商品を識別する商品コードを含み、前記第２のコードシンボルに対応したコード情報はサービス表示に対応したサービス情報を含み、前記制御ステップは、前記第１の光源による照射光をもとに撮像した画像から前記商品コードを読み取る際に、前記サービス表示読取ステップによりサービス表示が読み取られた場合に、当該サービス表示に対応したサービス情報を読み取らせるように、前記第２の光源による照射光をもとにした撮像を行わせること、を特徴とする。
【図面の簡単な説明】
【０００６】
【図１】図１は、本実施形態にかかる商品コード読取装置を用いたチェックアウトレーンシステムの構成を概略的に示す外観斜視図である。
【図２】図２は、本実施形態にかかる商品コード読取装置の構成を示すブロック図である。
【図３】図３は、カメラの構成を例示する断面外観図である。
【図４】図４は、バーコードラベルと値引ラベルの一例を示す図である。
【図５】図５は、本実施形態にかかる商品コード読取装置の動作の一例を示すフローチャートである。
【図６】図６は、他の実施形態にかかる値引ラベルの一例を示す図である。
【発明を実施するための形態】
【０００７】
以下に添付図面を参照して、本実施形態にかかる商品コード読取装置及び商品コード読取方法を詳細に説明する。
【０００８】
図１は、本実施形態にかかる商品コード読取装置２を用いたチェックアウトレーンシステム４の構成を概略的に示す外観斜視図である。図１に示すように、チェックアウトレーンシステム４は、商品を入れた買い物かごを戴置するためのサッカー台１と、サッカー台１の略中央に立設された商品コード読取装置２と、商品コード読取装置２と図示しない伝送路によって相互通信可能に接続されたＰＯＳ端末３とを備えている。
【０００９】
ＰＯＳ端末３は、客が購入する商品の販売登録を行うものである。図１に示すように、ＰＯＳ端末３には、キーボード３１、オペレータ用の表示器３２、客用の表示器３３、レシート印字等を行うプリンタ３４、現金等を収容するためのドロワ３５等が設けられている。キーボード３１には、商品代金の決済に必要な締めキー等が配設されている。ＰＯＳ端末３は、この種のチェックアウトレーンシステムで標準的に使用されているＰＯＳ端末と同様の構成と機能とを備えている。
【００１０】
商品コード読取装置２は、商品に貼付されたバーコードまたは二次元コード等のコードシンボル（以下、バーコード）を、オペレータ（ユーザ）が商品を読取窓２１にかざした際に読み取って、バーコードが含む商品情報をＰＯＳ端末３に出力するための装置である。図１に示すように、商品コード読取装置２は、読取窓２１と、キーボード２２と、ディスプレイ２３と、表示ＬＥＤ２４と、ブザー２５とを主に備えている。キーボード２２は、各種キーによるオペレータの操作を受け付ける。例えば、キーボード２２は、バーコードで登録不能な商品の登録を行う場合に、各種キーによる入力を受付ける。ディスプレイ２３は、登録された商品の品名や価格等を買い物客に対して表示する。表示ＬＥＤ２４は、商品に貼付されたバーコードが読み取られた場合に点灯して、バーコードが読み取られていることをオペレータに報知する。ブザー２５は、商品に貼付されたバーコードが読み取られた場合にブザー音を鳴らして、オペレータに報知する。読取窓２１が設けられた商品コード読取装置２の内部には、ＣＣＤイメージセンサ等のカメラ２０（図２、３参照）が内蔵されている。
【００１１】
図２は、本実施形態にかかる商品コード読取装置２の構成を示すブロック図である。商品コード読取装置２は、ＣＰＵ５０（Central  Processing  Unit）と、ＲＯＭ４２（Read  Only  Memory）と、ＲＡＭ４３（Random  Access  Memory）と、通信Ｉ／Ｆ４４と、出力ポート４６と、キーボードコントローラ４７と、表示コントローラ４８と、カメラコントローラ４９と、メモリ４５とを主に備えており、これらをアドレスバス、データバスなどのバスライン４１で接続して構成されている。
【００１２】
ＣＰＵ５０は、商品コード読取装置２の動作全体を制御する制御部として機能する。ＲＯＭ４２は、本実施形態にかかるプログラムや、ＣＰＵ５０の動作を制御するその他のプログラム等を記憶している。ＲＡＭ４３は、ＣＰＵ５０がＲＯＭ４２が記憶する各種プログラムを展開する際にワークエリアとして機能するものである。また、ＲＡＭ４３は、カメラ２０によって撮像した画像データなどの各種データを格納する。
【００１３】
通信Ｉ／Ｆ４４は、バス（図示しない）を介して接続されたＰＯＳ端末３（図１参照）とのデータ通信を制御する。出力ポート４６は、ブザー２５と表示ＬＥＤ２４に駆動信号を出力する。キーボードコントローラ４７は、キーボード２２からキー信号を取り込む。表示コントローラ４８は、ディスプレイ２３に対するデータ表示を制御する。カメラコントローラ４９は、カメラ２０の撮像動作を制御する。
【００１４】
カメラ２０は、商品に付されたバーコードや、値引やポイント付加等のサービスを表示したラベル（サービス表示）などを撮像する。
【００１５】
ここで、カメラ２０について詳細に説明する。図３は、カメラ２０の構成を例示する断面外観図である。より具体的には、図３は、図１に例示した読取窓２１の略中心で水平方向に商品コード読取装置２を切った場合の断面外観を示す図である。図３に示すように、商品コード読取装置２の筐体２０１内において、カメラ２０は、第１の光源２０３ａ、第２の光源２０３ｂが設けられた基板２０２と、撮像素子２０４が設けられた基板２０５とを備える。
【００１６】
第１の光源２０３ａ、第２の光源２０３ｂは、撮像素子２０４の撮像エリア７０ａに光を照射する光源である。具体的には、第１の光源２０３ａは、白色ＬＥＤ（Light  Emitting  Diode）などであり、可視光領域の波長の光を照射する光源である。また、第２の光源２０３ｂは、紫外線発光ダイオードや、赤外線発光ダイオードなどであり、可視光領域外の波長の光を照射する光源である。なお、本実施形態では、第２の光源２０３ｂとして紫外線発光ダイオードを用いるものとする。撮像エリア７０ａは、カメラ２０が１フレームで撮像できる領域である。撮像素子２０４は、第１の光源２０３ａ、又は第２の光源２０３ｂによる照射光をもとに、撮像エリア７０ａを撮像する。
【００１７】
ここで、カメラ２０によるバーコードやサービス表示の撮像について説明する。具体的には、商品コード読取装置２により処理される商品とカメラ２０の撮像エリア７０ａとの関係を例示して説明する。図４は、バーコードラベル６１と値引ラベルＬ１の一例を示す図である。図中２点鎖線で囲った領域は撮像エリア７０ａを示す。図４に示す商品６０には、バーコードラベル６１に加えて、サービス表示の一例である値引ラベルＬ１が貼付されている。
【００１８】
バーコードラベル６１には、商品名「豚バラうす切り」や、商品価格「２００円」や、バーコード６２等が表示されている。バーコード６２には、商品６０の販売データをＰＯＳ端末３で登録処理するのに必要な商品情報として、商品コード等の情報が組み込まれている。また、バーコード６２の下部には、バーコード６２が組み込んでいる商品コード「２１０１２３４５６７８９０」が数字で表示されている。値引ラベルＬ１には、商品６０に関するサービス情報であり、値引額を示す文字情報「表示価格より５０円引き」が可視光下で表示されている。また、値引ラベルＬ１には、上述したサービス表示に対応したサービス情報を含むバーコード６３が表示されている。バーコード６３は、値引やポイント付加等のサービス情報を所定の規則により符号化したコード（図示例では「ＸＸＸＸＸＸＸＸ」）等の情報が組み込まれている。
【００１９】
なお、バーコード６３は、可視光領域外の波長の光である紫外線で蛍光する塗料で印字されている。したがって、バーコード６３は、第１の光源２０３ａによる可視光下では見ることができず、カメラ２０で撮像した画像にも含まれることはないが、第２の光源２０３ｂによる紫外光下で蛍光することで見ることが可能であり、カメラ２０で撮像した画像にも含まれることとなる。このように、値引ラベルＬ１では、バーコード６３を可視光領域外の光で検出するようにしたことで、「表示価格より５０円引き」等の表示を目立たせるなど、デザイン性を向上させて値引ラベルＬ１の存在を目立つようにできる。このため、値引ラベルＬ１による顧客の誘引効果を期待できる。また、バーコード６３は、顧客の目には見えず、可視光領域外の光を照射することで検出されるため、値引ラベルＬ１の偽造防止にも役立つ。
【００２０】
上述したサービス表示としては、商品６０に付され、商品６０の購入時に付与されるサービスに関するサービスを表示しているものであればよい。サービス表示のその他の例としては、商品６０の割引率を表示した割引ラベルや、商品６０を購入した客に対して、通常のポイント付与数より割増されて付与されるポイント数を表示したポイント割増ラベル等であってもよい。
【００２１】
図２に戻り、メモリ４５は、不揮発性メモリであり、商品コード読取装置２における各種設定情報を記憶する。メモリ４５が記憶する各種設定情報としては、例えばカメラ２０により読み取られたバーコード６３をサービス情報に復号するための規則などがある。
【００２２】
ここで、ＣＰＵ５０がプログラムを実行することで実現される、商品コード読取装置２の機能構成について説明する。ＣＰＵ５０は、ＲＡＭ４３に展開されたＲＯＭ４２が記憶するプログラムに従って動作することで、図２に示すように、画像データ取込部５１と、バーコード読取部５２と、ラベル読取部５３と、情報出力部５４と、カメラ制御部５５として機能する。
【００２３】
画像データ取込部５１は、カメラコントローラ４９に撮像オン信号を出力してカメラ２０に撮像動作を開始させる。画像データ取込部５１は、撮像動作開始後にカメラ２０が撮像した撮像エリア７０ａ内の画像データを取り込んで、ＲＡＭ４３の画像ワークエリアに格納する。
【００２４】
バーコード読取部５２は、画像データ取込部５１により取り込まれた画像に含まれるバーコードを検出する。具体的には、取り込まれた画像からパターンマッチング技術によるバーコードの検出や、所定のファインダパターンから二次元コードの検出などを行う。バーコード読取部５２は、検出したバーコードを所定の規則に従ったコード情報（例えばＪＡＮコード）に変換することで、検出したバーコードに対応したコード情報を読み取る。
【００２５】
例えば、図４の例では、バーコード読取部５２によりバーコード６２が検出され、そのバーコード６２に対応した商品コード「２１０１２３４５６７８９０」が読み取られることとなる。また、第２の光源２０３ｂによる紫外光下でバーコード読取部５２によりバーコード６３が検出された場合は、そのバーコード６３に対応したコード「ＸＸＸＸＸＸＸＸ」が読み取られることとなる。
【００２６】
ラベル読取部５３は、画像データ取込部５１により取り込まれた画像に含まれるサービス表示を検出し、そのサービス表示を読み取る。具体的には、ラベル読取部５３は、ＲＯＭ４２などに予め設定されている、サービス表示を行うラベルの特徴（枠線や形状など）を示す情報をもとに、画像認識技術によりそのラベルを検出する。そして、ラベル読取部５３は、検出したラベル位置を中心にＯＣＲ（Optical  Character  Reader）等の文字認識処理を行うことで、ラベルに表示されている値引額、割引率、付与ポイントなどのサービス表示を読み取る。例えば、図４の例では、ラベル読取部５３により値引ラベルＬ１が検出される。次いで、その値引ラベルＬ１に記載された「５０円」「引き」などの文字が認識されて、５０円の値引を行うとするサービス表示が読み取られることとなる。
【００２７】
情報出力部５４は、バーコード６２から読み取った商品コードや、バーコード６３から読み取ったコード等のコード情報を、読取情報として通信Ｉ／Ｆ４４を介してＰＯＳ端末３へ出力する。なお、情報出力部５４は、バーコード６２から読み取った商品コード、バーコード６３から読み取ったコードの少なくとも一方を読取情報としてＰＯＳ端末３へ出力すればよい。これは、商品によっては値引ラベルＬ１が添付されていないものもあり、バーコード６２から商品コードの読み取りのみが行われる場合もあるためである。
【００２８】
カメラ制御部５５は、カメラコントローラ４９によるカメラ２０の撮像を制御する。具体的には、第１の光源２０３ａによる照射光をもとに撮像素子２０４で撮像した画像に含まれるバーコード６２に対応した商品コードと、第２の光源２０３ｂによる照射光をもとに撮像した画像に含まれるバーコード６３に対応したコードとをバーコード読取部５２に読み取らせるように、カメラ２０における第１の光源２０３ａ及び第２の光源２０３ｂにおける照射と、撮像素子２０４による撮像とを制御する（詳細は後述する）。
【００２９】
次に、本実施形態にかかる商品コード読取装置２の動作について詳細に説明する。図５は、本実施形態にかかる商品コード読取装置２の動作の一例を示すフローチャートである。
【００３０】
図５に示すように、処理が開始されると、画像データ取込部５１は、カメラコントローラ４９に撮像オン信号を出力してカメラ２０による撮像を開始する（Ｓ１）。次いで、カメラ制御部５５は、第１の光源２０３ａにより可視光を照射させる（Ｓ２）。次いで、画像データ取込部５１は、カメラ２０が可視光下で撮像した撮像エリア７０ａ内の画像データを取り込んで、ＲＡＭ４３の画像ワークエリアに格納する（Ｓ３）。次いで、バーコード読取部５２は、画像データ取込部５１により取り込まれた画像に含まれるバーコードを検出し、その検出したバーコードに対応したコード情報を読み取るバーコード読取処理を行う（Ｓ４）。このＳ４では、第１の光源２０３ａによる可視光下で図４に例示したバーコード６２が読み取られる。
【００３１】
次いで、ＣＰＵ５０は、画像データ取込部５１により取り込まれた画像からラベル読取部５３によりサービス表示が読み取られたか否かを判定することで、画像データ取込部５１により取り込まれた画像に値引ラベルＬ１が含まれているか否かを判定する（Ｓ５）。画像データ取込部５１により取り込まれた画像に値引ラベルＬ１が含まれていない場合（Ｓ５：ＮＯ）、ＣＰＵ５０はＳ９へ処理を進める。
【００３２】
画像データ取込部５１により取り込まれた画像に値引ラベルＬ１が含まれている場合（Ｓ５：ＹＥＳ）、カメラ制御部５５は、第２の光源２０３ｂにより紫外光を照射させる（Ｓ６）。次いで、画像データ取込部５１は、カメラ２０が紫外光下で撮像した撮像エリア７０ａ内の画像データを取り込んで、ＲＡＭ４３の画像ワークエリアに格納する（Ｓ７）。次いで、バーコード読取部５２は、画像データ取込部５１により取り込まれた画像に含まれるバーコードを検出し、その検出したバーコードに対応したコード情報を読み取るバーコード読取処理を行い（Ｓ８）、Ｓ９へ処理を進める。このＳ８では、第２の光源２０３ｂによる紫外光下で図４に例示したバーコード６３が読み取られる。
【００３３】
このように、カメラ制御部５５は、第１の光源２０３ａによる照射光をもとに撮像した画像から商品コードを読み取る際に、ラベル読取部５３によりサービス表示が読み取られた場合に、そのサービス表示に対応したサービス情報を読み取らせるように、第１の光源２０３ａによる照射光をもとにした撮像を行わせる。したがって、商品６０に値引ラベルＬ１が添付されていない場合には、第２の光源２０３ｂを照射してバーコード６３を読み取るための処理を省くことができる。
【００３４】
Ｓ９において、情報出力部５４は、バーコード読取部５２がバーコード６２から読み取った商品コードや、バーコード６３から読み取ったコード等のコード情報を、読取情報として通信Ｉ／Ｆ４４を介してＰＯＳ端末３へ出力する（Ｓ９）。
【００３５】
次いで、ＣＰＵ５０は、ＰＯＳ端末３から商品登録の終了通知などによる業務終了の有無を判定する（Ｓ１０）。業務を継続する場合（Ｓ１０：ＮＯ）、ＣＰＵ５０は、Ｓ２へ処理を戻して処理を継続させる。業務を終了する場合（Ｓ１０：ＹＥＳ）、ＣＰＵ５０は、カメラコントローラ４９に撮像オフ信号を出力してカメラ２０による撮像を終了し（Ｓ１１）、処理を終了する。
【００３６】
以上のようにして、カメラ制御部５５は、第１の光源２０３ａによる照射光をもとに撮像した画像に含まれるバーコード６２に対応した商品コードと、第２の光源２０３ｂによる照射光をもとに撮像した画像に含まれるバーコード６３に対応したコードとをバーコード読取部５２に読み取らせるように、第１の光源２０３ａ及び第２の光源２０３ｂにおける照射と、カメラ２０における撮像とを制御している。したがって、商品コード読取装置２は、商品に添付された値引ラベルＬ１などのバーコード６３を、顧客の目には見えないように可視光領域外の光で検出するようにした場合であっても、バーコード６２とともに読み取ることが可能となる。
【００３７】
次に、他の実施形態について説明する。前述した実施形態では、第２の光源２０３ｂとして紫外線発光ダイオードを用い、紫外線で蛍光する塗料で印字されているバーコード６３を読み取る構成を例示した。他の実施形態では、第２の光源２０３ｂとして赤外線発光ダイオードを用い、赤外光下でバーコード６３を読み取る場合を例示する。なお、商品コード読取装置２の構成や動作については、第２の光源２０３ｂとして赤外線発光ダイオードを用いること以外は同じである。他の実施形態では、バーコード６３を可視光下では見ることができず、赤外光下で見ることを可能とする構成のみが前述した実施形態とは異なっている。
【００３８】
図６は、他の実施形態にかかる値引ラベルＬ１ａの一例を示す図である。図６に示すように、バーコード６３は、値引ラベルＬ１ａに印字されている。値引ラベルＬ１ａは、バーコード６３の上面を光吸収・赤外透過フィルタ（ＩＲフィルタ）で覆う構成となっている。よって、バーコード６３は、第２の光源２０３ｂにより赤外領域の波長の光が照射された際に、光吸収・赤外透過フィルタを介して撮像され、第１の光源２０３ａによる可視光下では見ることができない。このため、値引ラベルＬ１ａも値引ラベルＬ１と同様、「表示価格より５０円引き」等の表示を目立たせるなど、デザイン性を向上させて値引ラベルＬ１ａの存在を目立つようにできる。
【００３９】
なお、本実施形態の商品コード読取装置２で実行されるプログラムは、ＲＯＭ等に予め組み込まれて提供される。本実施形態の商品コード読取装置２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４０】
さらに、本実施形態の商品コード読取装置２で実行されるプログラムを、インターネット等のネットワークに接続されたコンピュータ上に格納し、ネットワーク経由でダウンロードさせることにより提供するように構成しても良い。また、本実施形態の商品コード読取装置２で実行されるプログラムをインターネット等のネットワーク経由で提供または配布するように構成しても良い。
【００４１】
本実施形態の商品コード読取装置２で実行されるプログラムは、上述した各部（画像データ取込部５１、バーコード読取部５２、ラベル読取部５３、情報出力部５４、カメラ制御部５５）を含むモジュール構成となっており、実際のハードウェアとしてはＣＰＵ（プロセッサ）が上記ＲＯＭからプログラムを読み出して実行することにより上記各部が主記憶装置上にロードされ、画像データ取込部５１、バーコード読取部５２、ラベル読取部５３、情報出力部５４、カメラ制御部５５が主記憶装置上に生成されるようになっている。
【符号の説明】
【００４２】
２  商品コード読取装置
３  ＰＯＳ端末
４  チェックアウトレーンシステム
２０  カメラ
２１  読取窓
４２  ＲＯＭ
５０  ＣＰＵ
５１  画像データ取込部
５２  バーコード読取部
５３  ラベル読取部
５４  情報出力部
５５  カメラ制御部
６０  商品
６１  バーコードラベル
６２、６３  バーコード
７０ａ  撮像エリア
２０３ａ  第１の光源
２０３ｂ  第２の光源
２０４  撮像素子
Ｌ１、Ｌ１ａ  値引ラベル
【先行技術文献】
【特許文献】
【００４３】
【特許文献１】特開２００８−３３６４０公報
【図１】
0005256259.tif 000002
【図２】
0005256259.tif 000003
【図３】
0005256259.tif 000004
【図４】
0005256259.tif 000005
【図５】
0005256259.tif 000006
【図６】
0005256259.tif 000007